(57)【要約】【課題】  セキュリティ性を向上しかつ生体それぞれに固有の特徴を速く判断する。【解決手段】  非接触ＩＣカード６０は、電磁波を受信する第２アンテナ８６と、第２アンテナ８６が受信した電磁波を、電力に変換する第２受信部８０と、電力を蓄電する電源部７０と、生体それぞれに固有の特徴を検出するセンサ部７２と、使用者に固有の特徴を表わす情報を記憶する生体情報記憶部７４と、センサ部７２が検出した特徴が、生体情報記憶部７４に記憶された情報により表わされる特徴に一致するか否かを判断する個人認証部７６と、情報を記憶する記憶部６８と、個人認証部７６によって、センサ部７２が検出した特徴が、生体情報記憶部７４に記憶された情報により表わされる特徴に一致すると判断されると、信号を生成する制御部６６と、第２アンテナ８６とは異なる装置により、制御部６６が生成した信号に対応する電磁波を出力する第１アンテナ９０とを含む。【選択図】        図１
2005182566.tif 000002
【特許請求の範囲】
【請求項１】
電磁波を受信するための受信手段と、
前記受信手段が受信した電磁波を、電力に変換するための変換手段と、
前記変換手段が変換した電力を蓄電するための蓄電手段と、
前記蓄電手段が蓄電した電力を用いて、生体それぞれに固有の特徴を検出するための検出手段と、
予め定められた使用者に固有の特徴を表わす情報を記憶するための第１の記憶手段と、
前記検出手段が検出した特徴が、前記第１の記憶手段に記憶された情報により表わされる特徴に一致するか否かを判断するための判断手段と、
前記予め定められた使用者に固有の特徴を表わす情報とは異なる情報を記憶するための第２の記憶手段と、
前記判断手段によって、前記検出手段が検出した特徴が、前記第１の記憶手段に記憶された情報により表わされる特徴に一致すると判断されると、前記第２の記憶手段に記憶された情報に対応するように変調された信号を生成するための生成手段と、
前記受信手段とは異なる装置により、前記生成手段が生成した信号に対応する電磁波を出力するための出力手段とを含む、情報送信装置。
【請求項２】
前記受信手段は、前記出力手段が出力する電磁波とは周波数が異なる電磁波を受信するための手段を含む、請求項１に記載の情報送信装置。
【請求項３】
前記生体それぞれに固有の特徴は、指紋、指静脈の分岐点、および指静脈の端点のいずれかの特徴である、請求項１に記載の情報送信装置。
【請求項４】
前記情報送信装置は、前記判断手段の判断の結果を表示するための手段をさらに含む、請求項１に記載の情報送信装置。
【発明の詳細な説明】
【技術分野】
【０００１】
本発明は、情報送信装置に関し、特に、非接触ＩＣカードとして利用される情報送信装置に関する。
【背景技術】
【０００２】
鉄道会社などで使用されている非接触ＩＣカードは、外部のリーダ・ライタから送られる特定周波数を受信することにより電力供給を受けた後に、非接触ＩＣカード内部の制御部やメモリが動いて、外部リーダ・ライタと交信を行なった後に、使用者が望む処理を実施する。
【０００３】
図３を参照して、従来の非接触ＩＣカードは、特許文献１に開示されるように、制御部１５０と、センサ部１５２と、電源部１５４と、記憶部１５６と、送受信部１５８と、アンテナ１６０と、電源コード１６２とを含む。制御部１５０は、非接触ＩＣカードの各構成要素を制御する。制御部１５０は、他の構成要素との情報の交換を司る回路でもある。センサ部１５２は、使用者の指紋（以下、使用者の指紋を始めとする、生体それぞれに固有の特徴を表わす情報を「生体情報」と称する。ちなみに、使用者の筆跡なども、生体それぞれに固有の特徴を表わすので、生体情報の一種である。）を制御部１５０に入力する。電源部１５４は、非接触ＩＣカードの各回路に電源を供給する。記憶部１５６は、情報を記憶する。記憶部１５６は、自らが記憶した情報を出力する回路でもある。送受信部１５８は、制御部１５０と外部のリーダ・ライタ（図示せず）との情報交換を司る。アンテナ１６０は、送受信部１５８が送信する電磁波を発信する。アンテナ１６０は、電磁波を受信する装置でもある。電源コード１６２は、電源部１５４が供給する電力を非接触ＩＣカードの各構成要素に供給する媒体である。送受信部１５８は、送信部１７２と、受信部１７４とを含む。送信部１７２は、制御部１５０から渡された情報を上述したリーダ・ライタに送信する。受信部１７４は、上述したリーダ・ライタから受信した情報を制御部１５０に引渡す。制御部１５０は、センサ部１５２が検出した生体情報を解析する。制御部１５０は、解析した結果と記憶部１５６に記憶された情報とを照合する。その照合の結果、両者が合致したときにのみ、上述したリーダ・ライタと情報を交換する。電源部１５４は、受信部１７４が受信する電磁波の分岐勢力を受ける。電源部１５４は、電磁波の分岐勢力を電力に変換する回路でもある。非接触ＩＣカード装置の各部に供給される電力は、このようにして変換された電力である。
【０００４】
この技術によると、非接触ＩＣカードは、リーダ・ライタからの電磁波を受けて使用者の指紋を照合する。その照合の結果、両者が合致したときにのみ、上述したリーダ・ライタと情報を交換する。これにより、当該非接触ＩＣカードの真の所有者以外の使用者による不正な使用を排除できる。そうすることで、現在使用範囲の限定されている非接触ＩＣカードの使用範囲を拡大することができる。今後、利便性・安全性から考えて、指紋などの生体情報を使用して正規使用者を確認するようになってくる可能性が高いと考えられる。その場合、非接触ＩＣ自身に、指紋読取り用のセンサを搭載することが望ましい。そこで、上述したように、そのようなセンサが搭載された非接触ＩＣカードが提案され、実用化されている。
【０００５】
しかし、特許文献１に開示されたように、リーダ・ライタからの電波を受けて動き出す場合、生体情報などによる認証作業もリーダ・ライタからの電波を受けた後に実施されることになる。そうした場合、指紋のような大きな画像データを瞬時に処理するには、高クロック周波数のＭＰＵが必要になる。高クロック周波数のＭＰＵは、現行の非接触ＩＣカードに搭載されている低クロック周波数のＭＰＵよりも消費電力が高くなるため（どれだけ高くなるか、現段階では不明であるが、予測値は現在実用化されているＭＰＵの１０倍以上になると考えられている）、非接触ＩＣカードに搭載しても、電力不足により作動しない。このため、指紋読取り用のセンサを搭載する非接触ＩＣカードには電池を内蔵することが考えられている。しかし電池を内蔵した場合、モールド成形されるカード自体において電池交換は困難である。それゆえ、電池が切れるとカード自体が使用できなくなる。交換可能なボタン電池を使用した場合、電池ボックスが必要となるため、非接触ＩＣカード自体の厚みが増し、携帯性が損なわれる。蓄電池にして、リーダ・ライタと交信中に充電することも考えられるが、他の処理に電力が取られる中で蓄電池に十分に充電することは困難である。また誤って認証処理を作動させてしまった場合、その段階で電力を使い切ってしまうことが考えられる。さらに、非接触ＩＣカードの使用頻度が低い場合、蓄電池が放電して、必要なときに電力を供給できない恐れもある。その上、上述した技術を用いて、敢えて指紋のような大きな画像データを処理する場合には、低クロック周波数のＭＰＵを使用することになるため、データ処理に時間がかかる。これにより、認証時間が長くなり、使用者の求める処理が瞬時に行なえるという非接触ＩＣカードの利便性が損なわれると考えられる。
【特許文献１】特開平１１−１９５１０２号公報
【発明の開示】
【発明が解決しようとする課題】
【０００６】
本発明は上述の問題点を解決するためになされたものであって、その目的は、セキュリティ性を向上しかつ生体それぞれに固有の特徴を速く判断できる情報送信装置を提供することにある。
【課題を解決するための手段】
【０００７】
上記目的を達成するために、本発明のある局面にしたがうと、情報送信装置は、電磁波を受信するための受信手段と、受信手段が受信した電磁波を、電力に変換するための変換手段と、変換手段が変換した電力を蓄電するための蓄電手段と、蓄電手段が蓄電した電力を用いて、生体それぞれに固有の特徴を検出するための検出手段と、予め定められた使用者に固有の特徴を表わす情報を記憶するための第１の記憶手段と、検出手段が検出した特徴が、第１の記憶手段に記憶された情報により表わされる特徴に一致するか否かを判断するための判断手段と、予め定められた使用者に固有の特徴を表わす情報とは異なる情報を記憶するための第２の記憶手段と、判断手段によって、検出手段が検出した特徴が、第１の記憶手段に記憶された情報により表わされる特徴に一致すると判断されると、第２の記憶手段に記憶された情報に対応するように変調された信号を生成するための生成手段と、受信手段とは異なる装置により、生成手段が生成した信号に対応する電磁波を出力するための出力手段とを含む。
【０００８】
すなわち、受信手段は、電磁波を受信する。変換手段は、受信手段が受信した電磁波を、電力に変換する。蓄電手段は、変換手段が変換した電力を蓄電する。検出手段は、蓄電手段が蓄電した電力を用いて、生体それぞれに固有の特徴を検出する。第１の記憶手段は、予め定められた使用者に固有の特徴を表わす情報を記憶する。判断手段は、検出手段が検出した特徴が、第１の記憶手段に記憶された情報により表わされる特徴に一致するか否かを判断する。第２の記憶手段は、予め定められた使用者に固有の特徴を表わす情報とは異なる情報を記憶する。生成手段は、判断手段によって、検出手段が検出した特徴が、第１の記憶手段に記憶された情報により表わされる特徴に一致すると判断されると、第２の記憶手段に記憶された情報に対応するように変調された信号を生成する。出力手段は、受信手段とは異なる装置により、生成手段が生成した信号に対応する電磁波を出力する。これにより、受信手段は、出力手段とは異なる装置により、電磁波を受信する。出力手段とは異なる装置により、電磁波が受信されるので、蓄電手段は、必要な電力を蓄電できる。必要な電力が蓄電されるので、生体それぞれに固有の特徴が使用者に固有の特徴に一致するか否かを、速く判断できる。その結果、セキュリティ性を向上しかつ生体それぞれに固有の特徴を速く判断できる情報送信装置を提供することができる。
【０００９】
また、上述の受信手段は、出力手段が出力する電磁波とは周波数が異なる電磁波を受信するための手段を含むことが望ましい。
【００１０】
すなわち、受信手段は、出力手段が出力する電磁波とは周波数が異なる電磁波を受信する。これにより、変換手段は、受信手段が受信したより多くの電磁波を、電力に変換できる。より多くの電磁波が電力に変換されると、より多くの電力が蓄電される。その結果、セキュリティ性を向上しかつ生体それぞれに固有の特徴をより速く判断できる情報送信装置を提供することができる。
【００１１】
また、上述の生体それぞれに固有の特徴は、指紋、指静脈の分岐点、および指静脈の端点のいずれかの特徴であることが望ましい。
【００１２】
すなわち、判断手段は、検出手段が検出した、指紋、指静脈の分岐点、および指静脈の端点のいずれかの特徴が、第１の記憶手段に記憶された情報により表わされる特徴に一致するか否かを、より高速に判断する。これにより、判断手段の判断はより高速化される。その結果、セキュリティ性を向上しかつ生体それぞれに固有の特徴をより速く判断できる情報送信装置を提供することができる。
【００１３】
また、上述の情報送信装置は、判断手段の判断の結果を表示するための手段をさらに含むことが望ましい。
【００１４】
すなわち、情報送信装置は、判断手段の判断の結果を表示する。これにより、判断の結果が明確化される。その結果、セキュリティ性を向上し、明確化させ、かつ生体それぞれに固有の特徴をより速く判断できる情報送信装置を提供することができる。
【発明の効果】
【００１５】
本発明に係る情報送信装置は、セキュリティ性を向上しかつ生体それぞれに固有の特徴を速く判断できる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１を参照して、本実施の形態に係る非接触ＩＣカード６０は、第１アンテナ部６２と、送受信ユニット６４と、制御部６６と、記憶部６８と、電源部７０と、センサ部７２と、生体情報記憶部７４と、個人認証部７６と、表示部７８と、第２受信部８０と、第２アンテナ部８２とを含む。第１アンテナ部６２は、外部リーダ・ライタ１００との間で電波を送受信する。送受信ユニット６４は、第１アンテナ部６２が取扱う高周波信号と、制御部６６が取扱うデータを相互に変換する。送受信ユニット６４は、変換したデータを制御部６６に出力する。送受信ユニット６４は、第１アンテナ部６２が受信した高周波信号を分岐させ、電力に変換する回路でもある。制御部６６は、非接触ＩＣカード６０の各部を制御する。制御部６６は、各種のデータを管理する回路でもある。記憶部６８は、制御部６６が管理する、予め定められた使用者に固有の特徴を表わす情報とは異なる情報を記憶する。電源部７０は、送受信ユニット６４が出力する電力を蓄電する。電源部７０は、第２アンテナ８６が変換し、第２受信部８０がさらに変換した電力を蓄電する装置でもある。電源部７０は、蓄電した電力を非接触ＩＣカード６０の各部に供給する回路でもある。センサ部７２は、電源部７０が蓄電した電力を用いて、生体それぞれに固有の特徴を検出する。本実施の形態の場合、センサ部７２が検出する、生体それぞれに固有の特徴は、指紋、指静脈の分岐点、および指静脈の端点のいずれかの特徴である。このように特徴を検出すると、指紋や指静脈のパターンをすべて検出する場合に比べ、生体情報全体の量を抑制することができる。生体情報全体の量が抑制されると、生体情報の処理を速くでき、かつ電力の消費を抑制することができる。これが、特徴を表わす情報を検出する理由である。生体情報記憶部７４は、予め定められた使用者に固有の特徴を表わす情報（生体情報）を予め記憶する。個人認証部７６は、センサ部７２が検出した特徴が、生体情報記憶部７４に記憶された情報により表わされる特徴に一致するか否かを判断する。個人認証部７６は、外部リーダ・ライタ１００との間のデータの入出力を制限する回路でもある。表示部７８は、個人認証部７６の判断の結果を表示する。第２受信部８０は、第２アンテナ部８２が出力した交流電力（以下、この交流電力を「高周波信号」と称する。なお、以下の説明において、生成される高周波信号の周波数は、その高周波信号を生成する回路や高周波信号の利用目的などにより異なる。）を直流電力に変換する。第２受信部８０が高周波信号を直流電力に変換する原理は、第１受信部９６が利用する原理と同一である。第２アンテナ部８２は、携帯電話が出力した電磁波（本実施の形態において、携帯電話が通信に利用する電磁波の周波数は、８００ＭＨｚ帯である。ただし、この周波数は、携帯電話を使用する国や地域に応じて自由に設定できる。たとえば、日本で、携帯電話を使用する場合でも、この周波数を１．５ＧＨｚ帯および２ＧＨｚ帯のいずれかとしてもよい。）を、その電磁波の周波数に等しい周波数の高周波信号に変換する（なお、特に携帯電話が出力した電磁波に限定されないが、本実施の形態においては、携帯電話が出力した電磁波を変換することとする）。
【００１８】
第１アンテナ部６２は、第１アンテナ９０と、第１同調回路９２とを含む。第１アンテナ９０は、外部リーダ・ライタ１００との間で通信用に予め定められた周波数の電波を用いて通信する。第１アンテナ９０は、受信した電波や電磁波を高周波信号に変換し、第１同調回路９２に出力する。第１アンテナ９０は、第２アンテナ８６とは異なる装置により、第１同調回路９２および後述する送信部９４を介して、制御部６６が生成した信号に対応する電磁波を、外部リーダ・ライタ１００に出力する装置でもある。第１同調回路９２は、第１アンテナ９０が出力した高周波信号からノイズを除去する。第１同調回路９２は、送受信ユニット６４が出力した高周波信号のノイズを除去する回路でもある。
【００１９】
送受信ユニット６４は、送信部９４と第１受信部９６とを含む。送信部９４は、制御部６６が出力した各種データを高周波信号に変換する。第１受信部９６は、第１同調回路９２が出力した高周波信号を制御部６６が利用可能なデータに変換する。第１受信部９６は、第１アンテナ部６２が出力した高周波信号を分岐させ、分岐させた高周波信号を電力に変換する回路でもある。本実施の形態の場合、第１受信部９６は、第１アンテナ部６２が受信した高周波信号から、電磁誘導の原理を用いて交流電力を発生させる。第１受信部９６は、発生させた交流電力を、整流により、直流電力に変換する。第１受信部９６は、変換された直流電力を電源部７０に出力する。これにより、第１受信部９６は、電波の分岐勢力から得た電力を電源部７０に供給する。なお、第１受信部９６は、個人認証部７６の認証処理の結果に応じて、第１アンテナ部６２が出力した高周波信号をすべて電力に変換することができる。これは、個人認証部７６の認証処理の結果に応じた、制御部６６の制御により実現される。
【００２０】
第２アンテナ部８２は、第２同調回路８４と第２アンテナ８６とを含む。第２同調回路８４は、第２アンテナ８６が出力した高周波信号から、携帯電話が通信に利用する周波数に対応する成分を抽出する。第２同調回路８４は、第２受信部８０が出力した高周波信号から、ノイズを除去する回路でもある。第２アンテナ８６は、後述する第１アンテナ９０が出力する電磁波とは周波数が異なる電磁波（すなわち携帯電話から受信した電磁波）を受信する。第２アンテナ８６は、携帯電話から受信した電磁波を高周波信号に変換する装置でもある。
【００２１】
図２を参照して、非接触ＩＣカード６０で実行されるプログラムは、使用者の認証、およびデータの入出力に関して、以下のような制御構造を有する。
【００２２】
ステップ１２０（以下、ステップをＳと略す）にて、第２アンテナ部８２は、携帯電話からの電磁波（通信用電磁波）を常に受信する。Ｓ１２２にて、第２受信部８０は、第２アンテナ部８２が受信した電磁波（すなわち第２アンテナ部８２が出力した高周波信号）を電力に変換する。Ｓ１２４にて、電源部７０は、第２受信部８０が変換した電力を蓄電する。
【００２３】
Ｓ１２６にて、センサ部７２は、使用者がセンサ部７２に対し、予め定められた特定の指を密着させたことを検出する。Ｓ１２８にて、電源部７０は、使用者がセンサ部７２に指を密着させると、非接触ＩＣカード６０の各部に電力を供給する。Ｓ１３０にて、センサ部１２は、使用者の指から指紋および指静脈の特徴点（分岐点および端点）を画像データとして採取する。
【００２４】
Ｓ１３２にて、個人認証部７６は、生体情報記憶部７４から真正使用者の生体情報（本実施の形態の場合、真正使用者の、指紋ならびに指静脈の分岐点および端点の、特徴を表わす情報）を読出す。生体情報が読出されると、個人認証部７６は、読出した生体情報とセンサ部７２が採取した画像データとを照合させる。個人認証部７６は、このデータ照合の結果が不一致か否かを判断する。データ照合の結果が不一致と判断した場合には（Ｓ１３２にてＹＥＳ）、処理はＳ１３４へと移される。もしそうでないと（Ｓ１３２にてＮＯ）、処理はＳ１３６へと移される。
【００２５】
Ｓ１３４にて、個人認証部７６は、センサ部７２に指を接触させたものが不正使用者と判断する。非接触ＩＣカード６０は、使用者の認証を終了する。
【００２６】
Ｓ１３６にて、個人認証部７６は、表示部７８に非接触ＩＣカード６０の使用を許可する旨の情報を出力する。具体的には、非接触ＩＣカード６０の使用を許可する旨を表わすＬＥＤ（Light Emitting Diode）を点灯させる。これにより、表示部７８が点灯する。Ｓ１３８にて、個人認証部７６は、制御部６６および送受信ユニット６４に、外部リーダ・ライタ１００からのデータの入出力について許可を与える。Ｓ１４０にて、第１受信部９６は、外部リーダ・ライタ１００から発信される電波の受信を待ち受ける。電波の受信は、使用者が非接触ＩＣカード６０を外部リーダ・ライタ１００の近く（外部リーダ・ライタ１００が発信する電波を受信可能な範囲）に近づけることによって可能になる。
【００２７】
Ｓ１４２にて、第１アンテナ部６２は、受信した電波を高周波信号に復調する。第１受信部９６は、復調した高周波信号をデータに変換する。第１受信部９６は、変換したデータを制御部６６に出力する。併せて、第１受信部９６は、受信した高周波信号を分岐させ、分岐させた信号を電力に変換する。第１受信部９６は、変換した電力を電源部７０に供給する。
【００２８】
Ｓ１４４にて、電源部７０は、第１受信部９６が供給した電力を蓄電する。併せて、電源部７０は、蓄電した電力を非接触ＩＣカード６０の各部に供給する。
【００２９】
Ｓ１４６にて、制御部６６は、外部リーダ・ライタ１００とデータを入出力する。制御部６６は、第１受信部９６が出力したデータに基づき、新たなデータを作成する。制御部６６は、作成したデータを送信部９４に出力する。送信部９４は、制御部６６が出力したデータを高周波信号に変換する。第１アンテナ部６２は、送信部９４が出力した高周波信号から電波を生成し、外部リーダ・ライタ１００に対して出力する。
【００３０】
以上のような構造およびフローチャートに基づく、非接触ＩＣカード６０の動作について説明する。
【００３１】
［真正使用者が非接触ＩＣカードを使用する場合］
第２アンテナ部８２は、通信用電磁波を常に受信する（Ｓ１２０）。電磁波が受信されると、第２受信部８０は、第２アンテナ部８２が受信した電磁波を電力に変換する（Ｓ１２２）。電磁波が電力に変換されると、電源部７０は、第２受信部８０が変換した電力を蓄電する（Ｓ１２４）。電力が蓄電されると、センサ部７２は、使用者がセンサ部７２に対し、予め定められた特定の指を密着させたことを検出する（Ｓ１２６）。使用者がセンサ部７２に指を密着させると、電源部７０は、非接触ＩＣカード６０の各部に電力を供給する（Ｓ１２８）。センサ部１２は、使用者の指から指紋および指静脈の特徴点（分岐点および端点）を画像データとして採取する（Ｓ１３０）。画像データが採取されると、個人認証部７６は、生体情報記憶部７４から真正使用者の生体情報を読出す。生体情報が読出されると、個人認証部７６は、読出した生体情報とセンサ部７２が採取した画像データとを照合させる。個人認証部７６は、このデータ照合の結果が不一致か否かを判断する（Ｓ１３２）。この場合、データ照合の結果が不一致と判断しないので（Ｓ１３２にてＮＯ）、個人認証部７６は、表示部７８に非接触ＩＣカード６０の使用を許可する旨の情報を出力する（Ｓ１３６）。その情報が出力されると、表示部７８が点灯する。続いて、個人認証部７６は、制御部６６および送受信ユニット６４に、外部リーダ・ライタ１００からのデータの入出力について許可を与える（Ｓ１３８）。許可が与えられると、第１受信部９６は、外部リーダ・ライタ１００から発信される電波の受信を待ち受ける（Ｓ１４０）。電波が受信されると、第１アンテナ部６２は、受信した電波を高周波信号に復調する。第１受信部９６は、復調した高周波信号をデータに変換する。第１受信部９６は、変換したデータを制御部６６に出力する。併せて、第１受信部９６は、受信した高周波信号を分岐させ、分岐させた信号を電力に変換する。第１受信部９６は、変換した電力を電源部７０に供給する（Ｓ１４２）。それらが終了すると、電源部７０は、第１受信部９６が供給した電力を蓄電する。併せて、電源部７０は、蓄電した電力を非接触ＩＣカード６０の各部に供給する（Ｓ１４４）。電力が供給されると、制御部６６は、外部リーダ・ライタ１００とデータを入出力する（Ｓ１４６）。これにより、個人認証部７６によって、センサ部７２が検出した特徴が、生体情報記憶部７４に記憶された情報により表わされる特徴に一致すると判断されると、制御部６６は、記憶部６８に記憶された情報に対応するように変調された信号を生成することとなる。
【００３２】
［不正使用者が非接触ＩＣカードを使用する場合］
画像データが採取されると、個人認証部７６は、生体情報とセンサ部７２が採取した画像データとのデータ照合の結果が不一致か否かを判断する（Ｓ１３２）。この場合、データ照合の結果は不一致なので（Ｓ１３２にてＹＥＳ）、個人認証部７６は、センサ部７２に指を接触させたものが不正使用者と判断する。非接触ＩＣカード６０は、使用者の認証を終了する（Ｓ１３４）。
【００３３】
以上のようにして、本実施の形態に係る非接触ＩＣカードは、予め電力を蓄電する。生体情報などを使用した認証能力を持つ非接触ＩＣカードにおいて、使用者の求める処理が瞬時に行なえるという利便性を損なわないようにするためには、リーダ・ライタと非接触ＩＣカードが交信する前に、認証作業を終える必要がある。一方、本実施の形態に係る非接触ＩＣカードは、携帯電話などから送信された不要電磁波（携帯電話の通話時や待ち受け時にアンテナから全方位に出ており、かつ基地局との交信に使用しない電波、いわゆる不要輻射と呼ばれる電波のこと）を電力に変換する。携帯電話などから送信された不要電磁波を電力に変換することができるので、非接触ＩＣカードの電源部は、常時十分な電力を蓄電できる。さらに、本実施の形態に係る非接触ＩＣカードは、電力の備蓄専用のアンテナを備えるので、特に効率よく十分な電力を蓄電できる。十分な電力が蓄電されているので、非接触ＩＣカードは、外部のリーダ・ライタから電波を受ける前に、十分に個人認証を済ませることができる。電波を受ける前に十分個人認証が済まされるので、十分な個人認証が完了するまでの時間が短縮される。その結果、非接触ＩＣカードのセキュリティ性（不正使用を回避する点に加え、非接触ＩＣカードに記憶された生体情報の外部への流出を回避する点）を向上しかつ生体それぞれに固有の特徴を速く判断できる情報送信装置を提供することができる。さらに、本実施の形態に係る非接触ＩＣカードは、非接触ＩＣカードの使用を許可する旨の情報を出力させることにより、たとえば汗が原因で生体情報が採取できなかったといった、不測の事態を使用者に認識させることができる。これにより、本実施の形態に係る非接触ＩＣカードは、より快適な利用が可能となる。
【００３４】
なお、電力供給のタイミングは、特に限定されない。たとえば電力供給のタイミングは、非接触ＩＣカード６０が外部リーダ・ライタ１００と交信する直前であってもよい。この場合も、ＭＰＵの消費電力によっては、外部リーダ・ライタ１００が送信した電磁波に加え、上述した不要電磁波を電力に変換することにより、十分な電力を得ることができる。
【００３５】
また、非接触ＩＣカード６０には、周波数が互いに異なる、なるべく多くの電磁波（たとえば、携帯電話のほかに、ＰＤＡ（Personal Digital Assistant、携帯用情報端末）に用いられる電磁波、ＰＨＳ（Personal Handy Phone system、簡易型携帯電話システム）用の端末に用いられる電磁波、または無線ＬＡＮに使用する２．４ＧＨｚ帯の電磁波など）を受信できるように、なるべく多くのアンテナなどを設けることが望ましい。なるべく多くのアンテナなどを設けることにより、より効率よく電力を蓄電できることがその理由である。
【００３６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３７】
【図１】本発明の実施の形態に係る非接触ＩＣカードの全体構成図である。
【図２】本発明の実施の形態に係る非接触ＩＣカードの認証およびデータの入出力処理の制御の手順を示すフローチャートである。
【図３】従来例に係る非接触ＩＣカードの全体構成図である。
【符号の説明】
【００３８】
６０  非接触ＩＣカード、６２  第１アンテナ部、６４  送受信ユニット、６６，１５０  制御部、６８，１５６  記憶部、７０，１５４  電源部、７２，１５２  センサ部、７４  生体情報記憶部、７６  個人認証部、７８  表示部、８０  第２受信部、８２  第２アンテナ部、８４  第２同調回路、８６  第２アンテナ、９０  第１アンテナ、９２  第１同調回路、９４，１７２  送信部、９６  第１受信部、１００  外部リーダ・ライタ、１５８  送受信部、１６０  アンテナ、１６２  電源コード、１７４  受信部。
【図１】
2005182566.tif 000003
【図２】
2005182566.tif 000004
【図３】
2005182566.tif 000005